(57)【特許請求の範囲】
【請求項１】
千鳥状に配置された複数のイメージセンサ上を、搬送ローラを用いて原稿を移動させながら画像を読み取る構成を有し、前記千鳥状に配置されたイメージセンサのうち、前記原稿の移動方向上流側である手前側に配置された手前側イメージセンサで読み取った手前側画像データを遅延させ、前記原稿の移動方向下流側である後方側に配置された後方側イメージセンサで読み取った後方側画像データと一列に合成させる画像合成手段を有する画像読取装置において、
前記手前側イメージセンサと、前記後方側イメージセンサの配置間隔を、前記搬送ローラの円周長の整数倍になるように配置する同期配置と、前記手前側イメージセンサと前記後方側イメージセンサが前記同期配置における前記手前側イメージセンサと、前記後方側イメージセンサの配置間隔よりも前記手前側イメージセンサと、前記後方側イメージセンサの配置間隔が短く、近距離になるように配置する近距離配置のいずれかの配置とするかを指示する指示手段と、
前記指示手段による指示に基づき、前記イメージセンサの配置を前記同期配置または前記近距離配置のいずれか一方に切替えるよう移動させる駆動手段と、
前記手前側画像データと前記後方側画像データを副走査方向に合成させるための、前記同期配置の場合の前記手前側画像データの遅延時間である第１の遅延時間と、前記近距離配置の場合の前記手前側画像データの遅延時間である第２の遅延時間と、を記憶した記憶手段と、を有し、
前記画像合成手段は、前記同期配置の場合、前記後方側画像データに対し、前記手前側画像データを前記第１の遅延時間だけ遅延させ、前記近距離配置の場合、前記後方側画像データに対し、前記手前側画像データを前記第２の遅延時間だけ遅延させ、前記手前側画像データと、前記後方側画像データを副走査方向に合成することを特徴とする画像読取装置。
【請求項２】
前記手前側イメージセンサからなる手前側イメージセンサ群と前記後方側イメージセンサからなる後方側イメージセンサ群の内、含まれるイメージセンサの数の少ない側のイメージセンサ群のみを、前記駆動手段により移動可能とすることを特徴とする請求項１に記載の画像読取装置。
【請求項３】
前記駆動手段により配置を移動する前記イメージセンサを、一のベースフレーム上に搭載し、前記同期配置または前記近距離配置の位置まで、前記ベースフレームごと移動可能とすることを特徴とする請求項１または請求項２のいずれか１項に記載の画像読取装置。
【請求項４】
千鳥状に配置された複数のイメージセンサ上を、搬送ローラを用いて原稿を移動させながら画像を読み取る構成を有し、前記千鳥状に配置されたイメージセンサのうち、前記原稿の移動方向上流側である手前側に配置された手前側イメージセンサで読み取った手前側画像データを遅延させ、前記原稿の移動方向下流側である後方側に配置された後方側イメージセンサで読み取った後方側画像データと一列に合成させる画像合成手段と、を有し、
前記手前側イメージセンサと、前記後方側イメージセンサの配置間隔を、前記搬送ローラの円周長の整数倍になるよう同期配置した画像読取装置において、
前記手前側イメージセンサとの副走査方向の配置間隔が前記同期配置した前記手前側イメージセンサと、前記後方側イメージセンサの配置間隔より近距離であるように追加配置される追加イメージセンサを有し、
前記同期配置された前記後方側イメージセンサと前記追加配置された前記追加イメージセンサのいずれを用いて得られる画像データを前記手前側画像データとの画像合成に用いるかを指示する指示手段と、
前記指示手段による指示に基づき、前記後方側イメージセンサと前記追加イメージセンサのいずれを用いて得られる画像データを前記手前側画像データとの画像合成に用いるかを決定する決定手段と、
前記手前側画像データと前記後方側画像データまたは前記追加イメージセンサによる画像データを合成させるために用いる前記イメージセンサに応じた前記手前側画像データの遅延時間を記憶した記憶手段と、を有し、
前記画像合成手段は、前記後方側画像データに対し、前記手前側画像データを前記遅延時間だけ遅延させ、前記手前側画像データと、前記後方側画像データまたは前記追加イメージセンサによる画像データのいずれか一方を副走査方向に合成することを特徴とする画像読取装置。
【請求項５】
追加イメージセンサからなる追加イメージセンサ群は、前記手前側イメージセンサからなる手前側イメージセンサ群と前記後方側イメージセンサからなる後方側イメージセンサ群の内、センサ数の少ないイメージセンサ群が有するイメージセンサと同数の追加イメージセンサを有することを特徴とする請求項４に記載の画像読取装置。
【請求項６】
追加配置する前記追加イメージセンサからなる追加イメージセンサ群を一のベースフレーム上に搭載し、前記追加配置する位置に、前記ベースフレームごとに追加配置可能とすることを特徴とする請求項４または請求項５のいずれか１項に記載の画像読取装置。
【請求項７】
請求項１〜６の何れか一つに記載の画像読取装置と、
前記画像読取装置の出力に基づいて画像を形成する画像形成部と、を備えることを特徴とする画像形成装置。
【発明の詳細な説明】
【技術分野】
【０００１】
本発明は、プリンタ等に用いられる画像読取装置およびこれを用いた画像形成装置に関し、特に千鳥状に配置されたイメージセンサによる画像の繋ぎ目位置の調整に関する。
【背景技術】
【０００２】
Ａ０サイズのような、広幅のＣＩＳによる読取を実現するにあたり、図１０、図１１で示すようなＡ３やＡ４サイズＣＩＳを千鳥状に並べ低コストで実現する千鳥方式がある。Ａ０サイズのＣＩＳのような１本ものは需要が少ないため高コストであるが、Ａ３やＡ４サイズのＣＩＳは汎用性が高く大量生産されており低コストであるため、千鳥方式に用いられている。
【０００３】
千鳥方式では、各ＣＩＳの読取を主走査方向または副走査方向で、あたかも単一ＣＩＳで読み取ったようにする必要がある。主走査方向の画像繋ぎ調整は、ＣＩＳの読取範囲を調整することにより行ない、副走査方向の画像繋ぎ調整は、遅延メモリの遅延時間を調整することにより行われている。
【０００４】
ＣＩＳ繋ぎ方式読取においては、原稿搬送速度ムラの発生により、副走査方向の画像合成のタイミングが狙いからずれることにより、繋ぎ目部分の画像が副走査方向にずれるという問題が発生しやすい。図１２に副走査繋ぎ目ずれ画像例を示す。図１２に示すように原稿画像を読み取った場合にＣＩＳ繋ぎ位置にて画像が副走査方向にずれている。先端から後端にかけて、原稿搬送速度ムラが発生することで、副走査方向の各々の位置により、繋ぎ目のずれ量も変動する。
【０００５】
このような問題を解決するため、特許文献１には前後ＣＩＳの配置間隔を搬送ローラ円周長の整数倍にした構成が開示されている。この構成により、搬送ローラの偏心、捻れに起因する、搬送速度ムラの発生を低減し、繋ぎ目ずれを低減させることができる。
【発明の概要】
【発明が解決しようとする課題】
【０００６】
しかしながら、原稿搬送速度ムラの発生要因としては、前述した搬送ローラの偏心、捻れ以外にも搬送ローラ内の原稿滑りによる送りムラの発生がある。この場合、前後ＣＩＳ間の距離が大きくなるほど、送りムラによる誤差が累積し、副走査方向の繋ぎ目画像ずれが大きくなりやすい。
【０００７】
ＣＩＳ間隔については、例えば、搬送ローラが、φ２０［ｍｍ]の場合、円周の整数倍は、６２．８[ｍｍ](１倍)、１２５．６[ｍｍ](２倍)となる。現状一般的なＣＩＳ幅は、１５[ｍｍ]前後であるため、この場合、ＣＩＳ間隔は、ＣＩＳの配置可能な間隔に対し、約４倍程度と、広くなる。
【０００８】
したがって、特許文献１に記載された構成のように、前後ＣＩＳの配置間隔を、搬送ローラの円周長の整数倍にすると、前後ＣＩＳ間隔が大きくなり、搬送ローラ内の原稿滑りによる送りムラが発生しやすくなる問題があった。
【０００９】
さらに、広幅画像読取装置のユーザの中には、図面等のフィルム、トレーシングペーパー（以下トレペ）原稿の画像を読取データとして保存したいというニーズが存在する。このようなフィルム、トレペ原稿の中には、紙の摩擦抵抗が小さく、普通紙と比較して、滑り易い紙種が多く存在し、原稿滑りを原因とした副走査方向の繋ぎ目ずれ画像が発生しやすい。
【００１０】
このため、特許文献１に記載された構成のように、前後ＣＩＳの前後間隔を、ローラ円周長の整数倍とすると、前後ＣＩＳ間隔が大きいため、フィルム、トレペ系原稿使用時の、ＣＩＳ繋ぎ目の画像品質がより悪くなりやすい。したがって、特許文献１に記載されたような画像読取装置においては、使用用途や、画像品質仕様を、滑りにくい、普通紙原稿限定とする等、制約を設ける必要があった。
【００１１】
本発明はこのような問題を解決するためになされたもので、原稿種類によらずイメージセンサ繋ぎ目の画像品質を向上させることができる画像読取装置および画像形成装置を提供することを目的とする。
【課題を解決するための手段】
【００１２】
本発明に係る画像読取装置は、上記目的を達成するため、千鳥状に配置された複数のイメージセンサ上を、搬送ローラを用いて原稿を移動させながら画像を読み取る構成を有し、前記千鳥状に配置されたイメージセンサのうち、前記原稿の移動方向上流側である手前側に配置された手前側イメージセンサで読み取った手前側画像データを遅延させ、前記原稿の移動方向下流側である後方側に配置された後方側イメージセンサで読み取った後方側画像データと一列に合成させる画像合成手段を有する画像読取装置において、前記手前側イメージセンサと、前記後方側イメージセンサの配置間隔を、前記搬送ローラの円周長の整数倍になるように配置する同期配置と、前記手前側イメージセンサと前記後方側イメージセンサが前記同期配置における前記手前側イメージセンサと、前記後方側イメージセンサの配置間隔よりも前記手前側イメージセンサと、前記後方側イメージセンサの配置間隔が短く、近距離になるように配置する近距離配置のいずれかの配置とするかを指示する指示手段と、前記指示手段による指示に基づき、前記イメージセンサの配置を前記同期配置または前記近距離配置のいずれか一方に切替えるよう移動させる駆動手段と、前記手前側画像データと前記後方側画像データを副走査方向に合成させるための、前記同期配置の場合の前記手前側画像データの遅延時間である第１の遅延時間と、前記近距離配置の場合の前記手前側画像データの遅延時間である第２の遅延時間と、を記憶した記憶手段と、を有し、前記画像合成手段は、前記同期配置の場合、前記後方側画像データに対し、前記手前側画像データを前記第１の遅延時間だけ遅延させ、前記近距離配置の場合、前記後方側画像データに対し、前記手前側画像データを前記第２の遅延時間だけ遅延させ、前記手前側画像データと、前記後方側画像データを副走査方向に合成することを特徴とする。
【発明の効果】
【００１３】
本発明によれば、原稿種類によらずイメージセンサ繋ぎ目の画像品質を向上させることができる。
【図面の簡単な説明】
【００１４】
【図１】本発明の第１の実施の形態に係る画像形成装置の概略構成図である。
【図２】本発明の第１の実施の形態に係る画像読取装置のＣＩＳの配置構成を示す上面図である。
【図３】本発明の第１の実施の形態に係る画像読取装置のＣＩＳの配置構成を示す側面図である。
【図４】本発明の第１の実施の形態に係る画像読取装置のＣＩＳの配置構成および制御構成を示すブロック図である。
【図５】本発明の第１の実施の形態に係る画像読取装置の画像合成の過程を示すフロー図である。
【図６】本発明の第２の実施の形態に係る画像読取装置のＣＩＳの配置構成を示す上面図である。
【図７】本発明の第２の実施の形態に係る画像読取装置のＣＩＳの配置構成を示す側面図である。
【図８】本発明の第２の実施の形態に係る画像読取装置のＣＩＳの配置構成および制御構成を示すブロック図である。
【図９】本発明の第２の実施の形態に係る画像読取装置の画像合成の過程を示すフロー図である。
【図１０】従来の画像読取装置におけるＣＩＳの配置構成を示す上面図である。
【図１１】従来の画像読取装置におけるＣＩＳの配置構成を示す側面図である。
【図１２】従来の画像読取装置における読取画像の副走査方向繋ぎ目ずれを示す説明図である。
【発明を実施するための形態】
【００１５】
以下、本発明の第１の実施の形態について、図面を参照して説明する。
【００１６】
（第１の実施の形態）
図１に示すように、本実施の形態に係る画像形成装置１は、給紙部２、画像形成部３および画像読取装置４を有する装置本体１Ｍと、装置本体１Ｍ上に配置された自動原稿搬送部（ＡＤＦ）５とを備えたデジタル複合機である。
【００１７】
給紙部２は、それぞれカットシート状の転写紙Ｐを積層状態で収納可能な複数段の給紙カセット２１Ａ、２１Ｂ、２１Ｃを有している。各給紙カセット２１Ａ、２１Ｂ、２１Ｃには、例えば複数のシートサイズから予め選択されたシートサイズの転写紙Ｐ（例えば白紙）が、縦または横の給紙方向に向けて収容されるようになっている。
【００１８】
給紙部２は、給紙カセット２１Ａ、２１Ｂ、２１Ｃに収納された転写紙Ｐをそれぞれの最上層側から順次ピックアップして分離給紙する給紙装置２２Ａ、２２Ｂ、２２Ｃを有している。給紙部２には、さらに、各種ローラ２３等が設けられており、これらによって、各給紙装置２２Ａ、２２Ｂ、２２Ｃから給紙された転写紙Ｐを画像形成部３の所定の画像形成位置まで搬送する給紙経路２４が形成されている。
【００１９】
画像形成部３は、露光装置３１と、感光体ドラム３２Ｋ、３２Ｙ、３２Ｍ、３２Ｃと、ブラック（Ｋ）、イエロー（Ｙ）、マゼンタ（Ｍ）およびシアン（Ｃ）のトナーが充填された現像装置３３Ｋ、３３Ｙ、３３Ｍ、３３Ｃとを備えている。また、画像形成部３は、一次転写部３４と、二次転写部３５と、定着部３６とを備えている。
【００２０】
露光装置３１は、例えば、画像読取装置４で読み取った画像に基づいて各色の露光用のレーザ光Ｌを生成するようになっている。また、露光装置３１は、レーザ光を各色の感光体ドラム３２Ｋ、３２Ｙ、３２Ｍ、３２Ｃを露光して、各感光体ドラム３２Ｋ、３２Ｙ、３２Ｍ、３２Ｃの表層部に読取画像に対応した各色の静電潜像を形成するようになっている。
【００２１】
現像装置３３Ｋ、３３Ｙ、３３Ｍ、３３Ｃは、それぞれ対応する感光体ドラム３２Ｋ、３２Ｙ、３２Ｍ、３２Ｃに薄層状のトナーを近接させるように供給して、静電潜像をトナーにより顕像化する現像を行うようになっている。
【００２２】
画像形成部３は、感光体ドラム３２Ｋ、３２Ｙ、３２Ｍ、３２Ｃ上に現像されたトナー像を一次転写部３４に一次転写し、一次転写部３４に近接する二次転写部３５でそのトナー像を転写紙Ｐに二次転写するようになっている。また、画像形成部３は、転写紙Ｐに二次転写したトナー像を定着部３６により加熱・加圧して溶融させ、転写紙Ｐにカラー画像を定着させて記録するようになっている。
【００２３】
画像形成部３は、給紙部２から給紙経路２４を経て搬入された転写紙Ｐを二次転写部３５側に搬送する搬送経路３９Ａを有している。この搬送経路３９Ａにおいては、まず、レジストローラ対３７において、転写紙Ｐの搬送タイミングおよび搬送速度が調整されるようになっている。そして、転写紙Ｐは、一次転写部３４および二次転写部３５でのベルト速度に同期した状態で二次転写部３５および定着部３６を通過した後、排紙トレイ３８上に排紙されるようになっている。
【００２４】
画像形成部３は、手差トレイ２５上に載置される転写紙（図示せず）をレジストローラ対３７よりも上流側で搬送経路３９Ａに給紙する手差給紙経路３９Ｂを併有している。
【００２５】
二次転写部３５および定着部３６の下方には、それぞれ複数の搬送ローラおよび搬送ガイド等からなるスイッチバック搬送路３９Ｃおよび反転搬送路３９Ｄが配設されている。
【００２６】
スイッチバック搬送路３９Ｃは、転写紙Ｐの両面に画像を形成する場合に、任意の一面に画像定着が済んだ転写紙Ｐを一端から進入させた後に、後退（進入時とは逆方向に移動）させるスイッチバック搬送を行うようになっている。
【００２７】
反転搬送路３９Ｄは、スイッチバック搬送路３９Ｃによりスイッチバック搬送された転写紙Ｐの表裏を反転させて、レジストローラ対３７に再度給紙するようになっている。
【００２８】
これらスイッチバック搬送路３９Ｃおよび反転搬送路３９Ｄにより、一面に対する画像定着処理を終えた転写紙Ｐは、その進行方向を逆向きに切り替えられた後に表裏反転されて、再び二次転写ニップに進入する。そして、転写紙Ｐは、他面にも画像の二次転写処理と定着処理とが施された後、排紙トレイ３８上に排紙されるようになっている。
【００２９】
画像読取装置４は、光源およびミラー部材を搭載した第１キャリッジ４１と、ミラー部材を搭載した第２キャリッジ４２と、結像レンズ４３と、撮像部４４と、コンタクトガラス１０６とを備えている。これらは装置本体１Ｍ側に配設され、コンタクトガラス１０６上に搬送される原稿シートＳの片側の画像面（例えば表側の画像面）の画像読取りする第１面読取部４０を構成している。ここにいう第１面とは、自動搬送される原稿シートＳの片面、例えば表側の画像面である。
【００３０】
画像読取装置４には、原稿シートＳが載置されるコンタクトガラス４６と、原稿シートＳの一辺の突当ておよび位置決めが可能な突当部材４７ａ等とが併設されている。
【００３１】
第１キャリッジ４１は、コンタクトガラス１０６およびコンタクトガラス４６の下方に、図中の左右方向に移動可能におよび位置制御可能に設けられており、光源からの照明光をミラー部材で反射して露光面側に照射することができるようになっている。原稿シートＳで反射した反射光は、第１キャリッジ４１および第２キャリッジ４２に搭載された各ミラー部材を経由して結像レンズ４３により結像され、撮像部４４にてその結像した画像が読み取られるようになっている。
【００３２】
画像読取装置４は、光源点灯状態で第１キャリッジ４１および第２キャリッジ４２を例えば２：１の速度比で移動させつつ、コンタクトガラス４６上に置いた原稿シートＳの画像面を露光走査することができるようになっている。そして、画像読取装置４は、この露光走査時に撮像部４４により原稿画像を読み取ることで、固定原稿読取機能（いわゆるフラットベッドスキャナ機能）を発揮できるようになっている。
【００３３】
画像読取装置４は、第１キャリッジ４１をコンタクトガラス１０６の直下の定位置に停止させることができるようになっている。そして、画像読取装置４は、光源や反射ミラー等からなる光学系を移動させることなく、自動原稿搬送中の原稿シートＳの第１面の画像を読み取る移動原稿読取機能（いわゆるＤＦスキャナ機能）を発揮できるようになっている。
【００３４】
さらに、画像形成装置１は、画像読取装置４における第１面読取部４０に加えて、自動原稿搬送部５側に内蔵された第２面読取部４８を併有している。第２面読取部４８は、コンタクトガラス上を通過した後の原稿シートＳの第２面、例えば裏側の画像面を走査するようになっている。
【００３５】
自動原稿搬送部５は、画像形成装置１の装置本体１Ｍの上部にヒンジ機構を介して開閉動作可能に連結されている。自動原稿搬送部５は、画像読取装置４におけるコンタクトガラス１０６およびコンタクトガラス４６を露出させる開放位置と、コンタクトガラス１０６およびコンタクトガラス４６を覆う閉止位置との間で回動操作されるようになっている。
【００３６】
自動原稿搬送部５は、シートスルー方式の自動原稿搬送装置として構成されている。自動原稿搬送部５は、原稿載置台である原稿テーブル５１と、各種ローラおよびガイド部材等からなる原稿搬送部５２と、画像読み取り後の原稿シートＳを集積する原稿排紙トレイ５３とを備えている。
【００３７】
図２は本実施の形態に係る画像読取装置４のＣＩＳ配置切替機構２００の構成を示す上面図、図３は側面図であり、イメージセンサとしてＣＩＳを使用した例を説明する。本実施の形態では５本のＣＩＳを配置した場合を示すが、配置するＣＩＳの本数は必ずしもこれに限られない。
【００３８】
ＣＩＳ配置切替機構２００は、ＣＩＳ１０１〜１０５とＣＩＳユニット駆動機構５０３とベースフレーム５０１および後述する操作部７１２とＣＰＵ７１１とＲＡＭ７１４と画像処理部７０４を含んで構成されている。ＣＩＳユニット駆動機構５０３は本発明に係る駆動手段を構成し、画像処理部７０４は本発明に係る画像合成手段を構成する。また、ＣＰＵ７１１は本発明に係る指示手段を構成する。また、ＲＡＭ７１４は本発明に係る記憶手段を構成する。
【００３９】
ＣＩＳ１０１、ＣＩＳ１０３、ＣＩＳ１０５はコンタクトガラス１０６の下方の副走査方向手前側に配置され、ＣＩＳ１０２、ＣＩＳ１０４は、副走査方向後方側に配置されている。ＣＩＳ１０１、ＣＩＳ１０３、ＣＩＳ１０５は、以下ではそれぞれ手前側ＣＩＳともいい、ＣＩＳ１０２、ＣＩＳ１０４は、以下ではそれぞれ後方側ＣＩＳともいう。
【００４０】
ＣＩＳ１０１、ＣＩＳ１０３、ＣＩＳ１０５はそれぞれ本発明に係る手前側イメージセンサを構成し、ＣＩＳ１０２、ＣＩＳ１０４はそれぞれ本発明に係る後方側イメージセンサを構成する。またＣＩＳ１０１、ＣＩＳ１０３、ＣＩＳ１０５は全体で本発明に係る手前側イメージセンサ群を構成し、ＣＩＳ１０２、ＣＩＳ１０４は全体で本発明に係る後方側イメージセンサ群を構成する。
【００４１】
また、手前側イメージセンサで読み取った画像を手前側画像データといい、後方側イメージセンサで読み取った画像を後方側画像データという。
【００４２】
ＣＩＳ１０１、ＣＩＳ１０３、ＣＩＳ１０５は、それぞれ主走査方向に所定の間隔をもって副走査位置Ｃ上に隣り合うよう配置されている。ＣＩＳ１０２、ＣＩＳ１０４はそれぞれ主走査方向に所定の間隔をもって副走査位置Ａ上または副走査位置Ｂ上に隣り合うよう配置されており、ＣＩＳ１０１〜１０５の全体として千鳥状に配置されている。各ＣＩＳは搬送ローラ１０７、１０８の間に搬送される原稿シートＳ上の画像を読み取るようになっている。
【００４３】
なお、以下では副走査位置Ａ上にＣＩＳ１０２、ＣＩＳ１０４を配置する構成を同期配置といい、副走査位置Ｂ上にＣＩＳ１０２、ＣＩＳ１０４を配置する構成を近距離配置という。
【００４４】
後方側ＣＩＳ１０２、１０４を副走査位置Ａに同列に配置した場合の副走査位置ＡとＣの間隔Ｙ（Ａ）は、搬送ローラ１０７、１０８の円周長の整数倍となっている。整数倍とするのは搬送ローラ偏心による搬送ムラを低減し繋ぎ目ずれの小さい高品質画像を得るためである。
【００４５】
後方側ＣＩＳは、図２に示す副走査位置Ｂにも同列に配置可能となっており、副走査位置ＢとＣの間隔Ｙ（Ｂ）は、間隔Ｙ（Ａ）より短く、手前側ＣＩＳ列と後方側ＣＩＳ列は、接触しないで配置可能な位置まで近接して配置される。近距離配置とするのは、滑りの発生しやすい、フィルム、トレペに対するモードを搭載、指示することを可能にし、前後ＣＩＳの間隔を縮めることで、原稿滑りによる繋ぎ目ずれを低減させ、繋ぎ目ずれの画像品質悪化を低減するためである。この場合、前後ＣＩＳの配置間隔が、ローラ周長の整数倍でないため、ローラ偏心による搬送ムラの影響は、同期配置の場合より受けやすくなるが、ＣＩＳ間隔が近距離であるため、影響は比較的小さく、良好な画質を得ることが可能となる。
【００４６】
本実施の形態において、同期配置した場合の手前側ＣＩＳと後方側ＣＩＳとの副走査方向の距離は４０．７８ｍｍとし搬送ローラ１回転分の距離としたが、必ずしもこの距離に限定されるものではない。また、搬送ローラ１０７、１０８の直径は１２．９８ｍｍであり、原稿搬送速度は８０ｍｍ／ｓとしたが、必ずしもこれらの値に限定されるものではない。
【００４７】
また、近距離配置した場合の手前側ＣＩＳと後方側ＣＩＳとの副走査方向の距離は１９．８ｍｍとしたが、必ずしもこの距離に限定されるものではない。この距離は後方側ＣＩＳの外径の制約で決まり、外径の小さいＣＩＳであれば更にＣＩＳ同士が干渉しない距離まで近距離化可能である。
【００４８】
図３に示すように、１つのベースフレーム５０１上には後方側ＣＩＳが設置され、後方側ＣＩＳユニット６０１として一体化されている。基準白板２０１はコンタクトガラス１０６に対向するよう設けられている。
【００４９】
ＣＩＳユニット駆動機構５０３はラックピニオン等を含んで構成されている。ＣＩＳユニット駆動機構５０３はステッピングモータや、手動レバーによる回転駆動により、駆動力を発生させ、後方側ＣＩＳを設置したベースフレーム５０１を後方側ＣＩＳユニット６０１ごと副走査位置Ａまたは、Ｂに配置する位置まで移動させ、その配置位置を切替えることが可能である。
【００５０】
移動する後方側ＣＩＳを同一部材のベースフレーム５０１ごと一緒に移動するようにしたのは、移動による各ＣＩＳ間の位置精度誤差の発生を抑え、高精度な繋ぎ目画像品質の確保を可能にするためである。これにより、ＣＩＳ配置移動のための駆動構成を簡素化し、部品点数削減、コスト低減、製品サイズ小型化を容易にすることができる。
【００５１】
本実施の形態においては、手前側にＣＩＳ１０１、１０３、１０５の計３個のＣＩＳが配置、後方側にＣＩＳ１０２、１０４の計２個のＣＩＳが配置されており、配置ＣＩＳ数の少ない後方側のＣＩＳ１０２、１０４をＣＩＳユニット駆動機構５０３にて移動可能とする構成としたが、移動可能とするＣＩＳは必ずしもこれに限られない。このような構成としたのは、移動するＣＩＳ列を前後列の片側のみとすることで構成を簡素化し、低コスト化を実現するためである。また、移動するＣＩＳ数を減らすことで、移動による位置精度誤差の積み上げを低減し、より高精度な品質画像の取得を可能にするためである。
【００５２】
図４は本実施の形態に係る画像読取装置４における画像合成の過程を示すブロック図である。
【００５３】
なお、図４においては、説明を簡略化するため、手前側ＣＩＳ列を、ＣＩＳ１０１、ＣＩＳ１０３の２本、後方側ＣＩＳ列を、ＣＩＳ１０２の１本にて表現しているが、前後ＣＩＳの数が、それ以上の場合についても、同様とする。
【００５４】
画像形成装置１の装置本体１Ｍには、上部面側等のユーザーが利用しやすい位置にプリントキーやタッチパネル等を有する操作部７１２が設置されている。操作部７１２上に、普通紙と特殊紙のいずれの原稿を使用するか指示する指示ボタン７１３が設けられ、ユーザは、普通紙または、特殊紙（フィルム、トレペ等の滑り易い紙）のいずれの原稿を使用したいかを指示するようになっている。指示ボタン７１３は本発明に係る指示手段を構成する。
【００５５】
ＣＰＵ７１１は、操作部７１２による指示内容に応じて、ＣＩＳユニット駆動機構５０３を介して、後方側ＣＩＳユニット６０１を前後に移動させることで、前方側ＣＩＳと後方側ＣＩＳとの間の距離Ｙを変更するようになっている。具体的には、操作部７１２により普通紙の使用が指示された場合には同期配置とし、特殊紙の使用が指示された場合には近距離配置とする。これにより、ＣＰＵ７１１は図５に示す副走査位置Ａ（同期配置）および、副走査位置Ｂ（近距離配置）に、後方側ＣＩＳユニット６０１の配置位置を切替え可能となっている。
【００５６】
ＣＩＳ１０１〜１０３で読取られた画像データは、それぞれ、Ａ／Ｄ変換器７０１〜７０３を通して、画像処理部７０４内にある、メモリ７０５〜７０７に蓄積される。ＣＰＵ７１１は画像処理部７０４の制御を司り、メモリ７０５〜７０７に蓄積された画像データを下に、シェーディング補正部７０８にて、公知技術であるシェーディング処理を行い、副走査繋ぎ目補正部７０９へ、画像データを送信する。
【００５７】
ＣＰＵ７１１は、普通紙／特殊紙の指示ボタン７１３により指示された、紙種モードに応じて、あらかじめＲＡＭ７１４に記憶された遅延時間分を補正し、副走査繋ぎ目補正部７０９に受け取った画像データを繋ぎ合わせ、読取画像７１０を形成する。
【００５８】
ＲＡＭ７１４内には、後方側ＣＩＳを同期配置した場合の手前側ＣＩＳに対する後方側ＣＩＳの遅延時間である同期配置用遅延時間ｔ１と、後方側ＣＩＳを近距離配置した場合の手前側ＣＩＳに対する後方側ＣＩＳの遅延時間である近距離配置用遅延時間ｔ２とが記憶されている。
【００５９】
ここで遅延時間ｔ1は約０．５１秒でありＣＩＳ間距離Ｙ（Ａ）を原稿が移動する時間としている。また、遅延時間ｔ２は約０．２４でありＣＩＳ間距離Ｙ（Ｂ）を原稿が移動する時間としている。遅延時間ｔ１、ｔ２は必ずしもこれらの時間に限られず他の時間としてもよい。
【００６０】
ＣＰＵ７１１は、普通紙／特殊紙指示ボタン７１３の指示に応じてｔ１、ｔ２の遅延時間を選択し、繋ぎ目補正処理を実行する。
【００６１】
画像処理部７０４は、手前側に配置された手前側ＣＩＳで読み取った手前側画像データを遅延させ、後方側に配置された後方側ＣＩＳで読み取った後方側画像データと一列に合成させるようになっている。画像処理部７０４は画像合成の際に、指示ボタン７１３による各ＣＩＳの配置および手前側画像データの遅延時間ｔ１、ｔ２に基づき手前側画像データと後方側画像データを副走査方向に合成するようになっている。
【００６２】
図５は、本実施の形態に係る画像読取装置４の画像合成の過程を示すフロー図であり、以下同図を用いて画像合成処理について説明する。
【００６３】
まずユーザが操作部７１２の指示ボタン７１３で普通紙を通紙する普通紙モードか特殊紙を通紙する特殊紙モードのいずれかを選択する（ステップＳ１）。
【００６４】
普通紙モードが選択された場合、ＣＰＵ７１１はＣＩＳユニット駆動機構５０３に後方側ＣＩＳユニット６０１を同期配置の位置に移動させる（ステップＳ２）。
【００６５】
特殊紙モードが選択された場合、ＣＰＵ７１１はＣＩＳユニット駆動機構５０３に後方側ＣＩＳユニット６０１を近距離配置の位置に移動させる（ステップＳ３）。
【００６６】
ステップＳ１またはステップＳ２において後方側ＣＩＳユニット６０１が同期配置または近距離配置された後に、画像読取装置４に搬送ローラ１０７、１０８を通して原稿Ｓが通紙される（ステップＳ４）。
【００６７】
各ＣＩＳ１０１〜１０５は、通紙された原稿を読み取り、読み取った画像データは各ＣＩＳに対応するメモリ内に一時保存される。図４の例ではＣＩＳ１０１のデータがメモリ７０５に、ＣＩＳ１０２のデータがメモリ７０６に、ＣＩＳ１０３のデータがメモリ７０７に一時保存される（ステップＳ５）。
【００６８】
シェーディング補正部７０８は各メモリ７０５〜７０７内に保存されたデータにシェーディング補正を施す（ステップＳ６）。
【００６９】
次いでＣＰＵ７１１は、ステップＳ１で選択した紙種モードに基づき同期配置用または近距離配置用のいずれの遅延時間を画像合成に用いるかを副走査繋ぎ目補正部７０９に指示する（ステップＳ７）。
【００７０】
普通紙モードが選択されていた場合は、後方側ＣＩＳユニット６０１は同期配置されており、画像処理部７０４は、ＲＡＭ７１４に記憶された同期配置用遅延時間ｔ１を用いて補正した各ＣＩＳの画像を合成し（ステップＳ８）、読取画像を出力する（ステップＳ１０）。
【００７１】
特殊紙モードが選択されていた場合は、後方側ＣＩＳユニット６０１は近距離配置されており、画像処理部７０４は、ＲＡＭ７１４に記憶された近距離配置用遅延時間ｔ２を用いて補正した各ＣＩＳの画像を合成し（ステップＳ９）、読取画像を出力する（ステップＳ１０）。
【００７２】
以上のように、本実施の形態に係る画像読取装置４は、千鳥状に配置されたＣＩＳ１０１〜１０５上を、搬送ローラ１０７、１０８を用いて原稿を移動させながら画像を読み取る構成を有し、ＣＩＳ１０１〜１０５のうち、手前側に配置された手前側ＣＩＳで読み取った手前側画像データを遅延させ、後方側に配置された後方側ＣＩＳで読み取った後方側画像データと一列に合成させる画像処理部７０４を有するようになっている。
【００７３】
また、本実施の形態に係る画像読取装置４は、手前側ＣＩＳと、後方側ＣＩＳの配置間隔を、同期配置と、近距離配置のいずれかの配置とするかを指示する指示ボタン７１３と、指示ボタン７１３による指示に基づき、前記ＣＩＳ１０１〜１０５の配置を同期配置または近距離配置のいずれか一方に切替えるよう移動させるＣＩＳユニット駆動機構５０３と、同期配置と近距離配置の各配置に応じた手前側画像データの遅延時間を記憶したＲＡＭ７１４と、を有している。
【００７４】
また、本実施の形態に係る画像読取装置４における画像処理部７０４は、指示ボタン７１３による指示に基づくＣＩＳ１０１〜１０５の配置、および、同期配置または近距離配置の各配置に応じた手前側画像データの遅延時間に基づき、手前側画像データと、後方側画像データを副走査方向に合成するようになっている。
【００７５】
以上の構成により、滑りにくい普通紙原稿における、読取画像において、搬送ローラ１０７、１０８の偏心や捻れに起因する原稿搬送速度ムラを手前側ＣＩＳと後方側ＣＩＳとを同期配置することでＣＩＳ繋ぎ目画像の高画質化を実現できる。また、フィルム、トレペ等の滑りやすい特殊紙原稿に対しても、原稿滑りを起因とする副走査方向の繋ぎ目ずれを手前側ＣＩＳと後方側ＣＩＳとを近距離配置することでＣＩＳ繋ぎ目画像を改善し、普通紙、滑り原稿両者に対して、繋ぎ目画像品質の高い読取画像を得ることが可能になる。したがって、原稿種類によらずＣＩＳ繋ぎ目の画像品質を向上させることができる。
【００７６】
また、手前側ＣＩＳからなる手前側ＣＩＳ群と後方側ＣＩＳからなる後方側ＣＩＳ群の内、含まれるＣＩＳの数の少ない側のＣＩＳ群のみを、移動可能とするようにしてもよい。
【００７７】
この構成により、移動するＣＩＳ列を前後列の片側のみとすることで、構成を簡素化し、低コスト化を実現することが可能になる。また、移動するＣＩＳの数を減らすことで、移動による位置精度誤差の積み上げを低減し、より高精度な画像品質の取得が可能になる。
【００７８】
また、ＣＩＳユニット駆動機構５０３により配置を移動するＣＩＳ１０２、１０４を、ベースフレーム５０１上に搭載し、同期配置または近距離配置の位置まで、ベースフレーム５０１ごと移動可能とするようにしてもよい。
【００７９】
この構成により、移動するＣＩＳ列を同一部材のベースフレーム５０１ごと一緒に移動するため、移動による各ＣＩＳ間の位置精度誤差の発生を抑え、高精度な繋ぎ目画像品質の確保が可能になる。また、ＣＩＳ配置移動のためのＣＩＳユニット駆動機構５０３の構成を簡素化し、部品点数削減、コスト低減、製品サイズ小型化が容易になる。
【００８０】
（第２の実施の形態）
次に、図６〜図９を参照して、本発明の第２の実施の形態について説明する。
【００８１】
本実施の形態では、第１の実施の形態とは、後方側ＣＩＳが移動可動でなく、後方増設ＣＩＳ９０６、９０７を配置可能となっている点で異なるが、他の構成は基本的に同様である。したがって、同一の構成要素については、図１〜図５に示した第１の実施形態と同一の符号を用いて説明し、特に相違点についてのみ詳述する。
【００８２】
図６は本実施の形態に係る画像読取装置４のＣＩＳ増設機構３００の構成を示す上面図、図７は側面図であり、イメージセンサにＣＩＳを使用した例を説明する。本実施の形態では５本のＣＩＳを配置した場合を示すが、配置するＣＩＳの本数は必ずしもこれに限られない。
【００８３】
ＣＩＳ増設機構３００は、ＣＩＳ１０１〜１０５と後方増設ＣＩＳ９０６、９０７とベースフレーム９０１および後述する操作部７１２とＣＰＵ７１１とＲＡＭ７１４と画像処理部７０４を含んで構成されている。画像処理部７０４は本発明に係る画像合成手段を構成する。後方増設ＣＩＳ９０６、９０７は本発明に係る追加イメージセンサを構成する。
【００８４】
ＣＩＳ１０１、ＣＩＳ１０３、ＣＩＳ１０５はコンタクトガラス１０６の下方の副走査方向手前側に配置され、ＣＩＳ１０２、ＣＩＳ１０４は、副走査方向後方側に配置されている。また後方増設ＣＩＳ９０６、９０７はＣＩＳ１０１、ＣＩＳ１０３、ＣＩＳ１０５の副走査方向後方側でＣＩＳ１０２、１０４より手前側に追加配置可能となっている。ＣＩＳ１０１、ＣＩＳ１０３、ＣＩＳ１０５は、以下では手前側ＣＩＳともいい、ＣＩＳ１０２、ＣＩＳ１０４およびＣＩＳ９０６、ＣＩＳ９０７は、以下では後方側ＣＩＳともいう。
【００８５】
ＣＩＳ１０１、ＣＩＳ１０３、ＣＩＳ１０５はそれぞれ本発明に係る手前側イメージセンサを構成し、ＣＩＳ１０２、ＣＩＳ１０４およびＣＩＳ９０６、ＣＩＳ９０７はそれぞれ本発明に係る後方側イメージセンサを構成する。またＣＩＳ１０１、ＣＩＳ１０３、ＣＩＳ１０５は全体で本発明に係る手前側イメージセンサ群を構成し、ＣＩＳ１０２、ＣＩＳ１０４は全体で本発明に係る後方側イメージセンサ群を構成する。また、後方増設ＣＩＳ９０６、ＣＩＳ９０７は全体で本発明に係る追加イメージセンサ群を構成する。
【００８６】
また、手前側イメージセンサで読み取った画像を手前側画像データといい、後方側イメージセンサで読み取った画像を後方側画像データという。
【００８７】
ＣＩＳ１０１、ＣＩＳ１０３、ＣＩＳ１０５は、それぞれ主走査方向に所定の間隔をもって副走査位置Ｃ上に隣り合うよう配置されている。ＣＩＳ１０２、ＣＩＳ１０４はそれぞれ主走査方向に所定の間隔をもって副走査位置Ａ上に隣り合うよう配置されており、ＣＩＳ１０１〜１０５の全体として千鳥状に配置されている。各ＣＩＳは搬送ローラ１０７、１０８の間に搬送される原稿シートＳ上の画像を読み取るようになっている。
【００８８】
なお、以下では副走査位置Ａ上にＣＩＳ１０２、ＣＩＳ１０４を配置する構成を同期配置といい、副走査位置Ｂ上にＣＩＳ９０６、ＣＩＳ９０７を配置する構成を近距離配置という。
【００８９】
後方側ＣＩＳ１０２、１０４を副走査位置Ａに同列に配置した場合の副走査位置ＡとＣの間隔Ｙ（Ａ）は、搬送ローラ１０７、１０８の円周長の整数倍となっている。整数倍とするのは搬送ローラ偏心による搬送ムラを低減し繋ぎ目ずれの小さい高品質画像を得るためである。
【００９０】
後方側ＣＩＳは、図６に示す副走査位置Ｂにも同列に追加配置可能であり、副走査位置ＢとＣの間隔Ｙ（Ｂ）は、間隔Ｙ（Ａ）より短く、手前側ＣＩＳ列と後方側ＣＩＳ列は、接触しないで配置可能な位置まで近接して配置される。追加配置可能な構成としたのは、
第１の実施の形態と異なりＣＩＳ列の移動をなくすことでＣＩＳ列の移動による位置精度誤差を低減するためである。また、使用部品点数を低減し省資源化、低コスト化を実現するとともに設置作業時間を容易化するためでもある。
【００９１】
本実施の形態において、同期配置した場合の手前側ＣＩＳと後方側ＣＩＳとの副走査方向の距離は４０．７８ｍｍとし搬送ローラ１回転分の距離としたが、必ずしもこの距離に限定されるものではない。また、搬送ローラ１０７、１０８の直径は１２．９８ｍｍであり、原稿搬送速度は８０ｍｍ／ｓとしたが、必ずしもこれらの値に限定されるものではない。
【００９２】
また、近距離配置した場合の手前側ＣＩＳと後方側ＣＩＳとの副走査方向の距離は１９．８ｍｍとしたが、必ずしもこの距離に限定されるものではない。この距離は後方側ＣＩＳの外径の制約で決まり、外径の小さいＣＩＳであれば更にＣＩＳ同士が干渉しない距離まで近距離化可能である。
【００９３】
図７に示すように、ＣＩＳ１０２、１０４は、同一のベースフレーム５０１上に設置することで、普通紙用の後方側ＣＩＳユニット６０１として一体化されている。基準白板２０１はコンタクトガラス１０６に対向するよう設けられている。
【００９４】
また、後方増設ＣＩＳ９０６、９０７は、同一のベースフレーム９０１上に設置することで、後方増設ＣＩＳユニット９０２として一体化し、後方増設ＣＩＳユニット９０２ごと追加配置可能となっている。このような構成としたのは、複数のＣＩＳを一体化して、着脱作業を容易化し、作業時間を短縮するためである。また、一体化した後方増設ＣＩＳユニット９０２を着脱させるため、着脱に伴う各ＣＩＳの位置ずれ誤差ばらつきを低減し、繋ぎ目ずれの画像品質を安定化するためである。
【００９５】
後方増設ＣＩＳユニット９０２は、ねじ等の締結手段を用いて、ベースフレーム９０１ごと、図６の等副走査位置Ｂに配置可能となっており、副走査位置ＢとＣの間隔Ｙ(Ｂ)は、間隔Ｙ(Ａ)より短く、手前側ＣＩＳ列と後方増設ＣＩＳ列は、接触しないで配置可能な位置まで、近接して配置される。
【００９６】
本実施の形態においては、手前側にＣＩＳ１０１、１０３、１０５の計３個のＣＩＳが配置、後方側にＣＩＳ１０２、１０４の計２個のＣＩＳが配置されており、配置ＣＩＳ数の少ない後方側に後方増設ＣＩＳユニット９０２を配置する構成としたが、後方増設ＣＩＳユニット９０２を配置する側は必ずしもこれに限られない。このような構成としたのは、オプション部品点数を低減し、取付作業工数を短縮し、省資源化、低コスト化を実現するためである。
【００９７】
図８は本実施の形態に係る画像読取装置４における画像合成の過程を示すブロック図である。
【００９８】
なお、図８においては、説明を簡略化するため、手前側ＣＩＳ列を、ＣＩＳ１０１、ＣＩＳ１０３の２本、後方側ＣＩＳ列を、ＣＩＳ１０２の１本にて表現しているが、前後ＣＩＳの数が、それ以上の場合についても、同様とする。
【００９９】
画像形成装置１の装置本体１Ｍには、上部面側等のユーザーが利用しやすい位置にプリントキーやタッチパネル等を有する操作部７１２が設置されている。操作部７１２上に、普通紙と特殊紙のいずれの原稿を使用するか指示する指示ボタン７１３が設けられ、ユーザは、普通紙または、特殊紙（フィルム、トレペ等の滑り易い紙）のいずれの原稿を使用したいかを指示するようになっている。指示ボタン７１３は本発明に係る指示手段を構成する。また、ＣＰＵ７１１は本発明に係る指示手段および決定手段を構成する。また、ＲＡＭ７１４は本発明に係る記憶手段を構成する。
【０１００】
ＣＰＵ７１１は、操作部７１２による指示内容に応じて、普通紙用の後方側ＣＩＳユニット６０１、特殊紙用の後方増設ＣＩＳユニット９０２の、いずれのＣＩＳユニットにより得られる画像データを画像処理部７０４による画像合成に用いるかを判断する。これにより、ＣＰＵ７１１は図５に示す副走査位置Ａ（同期配置）および、副走査位置Ｂ（近距離配置）のいずれの位置に配置されたＣＩＳユニットを用いるかを切替え可能となっている。
【０１０１】
ＣＩＳ１０１〜１０３および後方増設ＣＩＳ９０６、９０７で読取られた画像データは、それぞれ、Ａ／Ｄ変換器７０１〜７０３を通して、画像処理部７０４内にある、メモリ７０５〜７０７に蓄積される。ＣＰＵ７１１は画像処理部７０４の制御を司り、メモリ７０５〜７０７に蓄積された画像データを下に、シェーディング補正部７０８にて、公知技術であるシェーディング処理を行い、副走査繋ぎ目補正部７０９へ、画像データを送信する。
【０１０２】
ＣＰＵ７１１は、普通紙／特殊紙の指示ボタン７１３により指示された、紙種モードに応じて、あらかじめＲＡＭ７１４に記憶された遅延時間分を補正し、副走査繋ぎ目補正部７０９に受け取った画像データを繋ぎ合わせ、読取画像７１０を形成する。
【０１０３】
ＲＡＭ７１４内には、手前側ＣＩＳに対する同期配置された後方側ＣＩＳユニット６０１の遅延時間である同期配置用遅延時間ｔ１と、手前側ＣＩＳに対する後方増設ＣＩＳユニット９０２の遅延時間である近距離配置用遅延時間ｔ２とが記憶されている。
【０１０４】
ここで遅延時間ｔ１は約０．５１秒でありＣＩＳ間距離Ｙ（Ａ）を原稿が移動する時間としている。また、遅延時間ｔ２は約０．２４でありＣＩＳ間距離Ｙ（Ｂ）を原稿が移動する時間としている。遅延時間ｔ１、ｔ２は必ずしもこれらの時間に限られず他の時間としてもよい。
【０１０５】
ＣＰＵ７１１は、普通紙／特殊紙指示ボタン７１３の指示に応じてｔ１、ｔ２の遅延時間を選択し、繋ぎ目補正処理を実行する。
【０１０６】
画像処理部７０４は、手前側に配置された手前側ＣＩＳで読み取った手前側画像データを遅延させ、後方側に配置された後方側ＣＩＳで読み取った後方側画像データと一列に合成させるようになっている。画像処理部７０４は画像合成の際に、指示ボタン７１３による各ＣＩＳの配置および手前側画像データの遅延時間ｔ１、ｔ２に基づき手前側画像データと後方側画像データを副走査方向に合成するようになっている。
【０１０７】
図９は、本実施の形態に係る画像読取装置４の画像合成の過程を示すフロー図であり、以下同図を用いて画像合成処理について説明する。
【０１０８】
まず画像読取装置４に搬送ローラ１０７、１０８を通して原稿Ｓが通紙される（ステップＳ１１）。次いで、ＣＰＵ７１１はユーザが普通紙を通紙する普通紙モードか特殊紙を通紙する特殊紙モードのいずれかを指示ボタン７１３で選択したかを判断する（ステップＳ１２）。
【０１０９】
各ＣＩＳ１０１〜１０５は、通紙された原稿Ｓを読み取り、読み取った画像データは各ＣＩＳに対応するメモリ内に一時保存される。普通紙モードが選択されていた場合は、手前側ＣＩＳおよび後方側ＣＩＳユニット６０１で読み取った画像データが各ＣＩＳに対応するメモリ内に一時保存される。図７の例ではＣＩＳ１０１のデータがメモリ７０５に、ＣＩＳ１０２のデータがメモリ７０６に、ＣＩＳ１０３のデータがメモリ７０７に一時保存される（ステップＳ１２）。
【０１１０】
特殊紙モードが選択されていた場合は、手前側ＣＩＳおよび後方増設ＣＩＳユニット９０２で読み取った画像データが同様に各ＣＩＳに対応するメモリ内に一時保存される（ステップＳ１３）。
【０１１１】
シェーディング補正部７０８は各メモリ７０５〜７０７内に保存されたデータにシェーディング補正を施す（ステップＳ１４）。
【０１１２】
次いでＣＰＵ７１１は、ステップＳ１で選択した紙種モードに基づき同期配置用または近距離配置用のいずれの遅延時間を画像合成に用いるかを副走査繋ぎ目補正部７０９に指示する（ステップＳ１５）。
【０１１３】
普通紙モードが選択されていた場合は、後方ＣＩＳユニット６０１は同期配置されており、画像処理部７０４は、ＲＡＭ７１４に記憶された同期配置用遅延時間ｔ１を用いて補正した各ＣＩＳの画像を合成し（ステップＳ１７）、読取画像を出力する（ステップＳ１９）。
【０１１４】
特殊紙モードが選択されていた場合は、後方増設ＣＩＳユニット９０２は近距離配置されており、画像処理部７０４は、ＲＡＭ７１４に記憶された近距離配置用遅延時間ｔ２を用いて補正した各ＣＩＳの画像を合成し（ステップＳ１８）、読取画像を出力する（ステップＳ１９）。
【０１１５】
以上のように、本実施の形態に係る画像読取装置４は、千鳥状に配置されたＣＩＳ１０１〜１０５上を、搬送ローラ１０７、１０８を用いて原稿を移動させながら画像を読み取る構成を有し、ＣＩＳ１０１〜１０５のうち、手前側に配置された手前側ＣＩＳで読み取った手前側画像データを遅延させ、後方側に配置された後方側ＣＩＳで読み取った後方側画像データと一列に合成させる画像処理部７０４を有し、手前側ＣＩＳと、後方側ＣＩＳの配置間隔を、搬送ローラ１０７、１０８の円周長の整数倍になるよう同期配置している。
【０１１６】
また、手前側ＣＩＳとの副走査方向の配置間隔が同期配置した手前側ＣＩＳと、後方側ＣＩＳの配置間隔より近距離であるように追加配置される後方増設ＣＩＳ９０６、９０７を有し、同期配置された後方側ＣＩＳと追加配置された後方増設ＣＩＳ９０６、９０７のいずれを用いて得られる画像データを手前側画像データとの画像合成に用いるかを指示する指示ボタン７１３と、指示ボタン７１３による指示に基づき、後方側ＣＩＳと後方増設ＣＩＳ９０６、９０７のいずれを用いて得られる画像データを手前側画像データとの画像合成に用いるかを決定するＣＰＵ７１１と、手前側画像データと後方側画像データまたは後方増設ＣＩＳ９０６、９０７による画像データを合成させるために用いるＣＩＳに応じた手前側画像データの遅延時間を記憶したＲＡＭ７１４と、を有している。
【０１１７】
また、画像処理部７０４は、手前側画像データの遅延時間に基づき、手前側画像データと、後方側画像データまたは後方増設ＣＩＳ９０６、９０７による画像データのいずれか一方を副走査方向に合成するようになっている。
【０１１８】
この構成により、原稿種類に応じて後方増設ＣＩＳ９０６、９０７を追加配置可能とすることで、後方側ＣＩＳ列の移動をなくし、ＣＩＳ列の移動による位置精度誤差を低減できる。したがって、原稿種類によらずイメージセンサ繋ぎ目の画像品質を向上させることができる。
【０１１９】
また、後方増設ＣＩＳ９０６、９０７をオプション品とし、後付け可能な構成とすることで、必要なユーザのみに提供することで、オプションのない、標準形態製品において、冗長な機能、構成を抑制し、使用部品点数の低減による省資源化、低コスト化を実現できる。
【０１２０】
また、手前側ＣＩＳからなる手前側ＣＩＳ群と後方側ＣＩＳからなる後方側ＣＩＳ群の内、センサ数の少ない側にのみ後方増設ＣＩＳ９０６、９０７を追加配置可能とするようにしてもよい。
【０１２１】
この構成により、オプション部品点数を低減し、取付作業工数を短縮し、省資源化、低コスト化を実現できる。
【０１２２】
また、追加配置する後方増設ＣＩＳ９０６、９０７からなる追加ＣＩＳ群を一のベースフレーム９０１上に搭載し、追加配置する位置に、ベースフレーム９０１ごとに追加配置可能とするようにしてもよい。
【０１２３】
この構成により、複数の後方増設ＣＩＳ９０６、９０７を一体化して後方増設ＣＩＳユニット９０２とすることで着脱作業を容易化し、作業時間を短縮できる。また、一体化した後方増設ＣＩＳユニット９０２を着脱させるため、着脱に伴う後方増設ＣＩＳ９０６、９０７の位置ずれ誤差ばらつきを低減し、繋ぎ目ずれの画像品質を安定化できる。
【０１２４】
本発明によれば原稿種類によらずイメージセンサ繋ぎ目の画像品質を向上させることができ、画像読取装置および画像形成装置全般に有用である。
【符号の説明】
【０１２５】
１  画像形成装置
４  画像読取装置
１０１〜１０５  ＣＩＳ（イメージセンサ）
１０７、１０８  搬送ローラ
５０１  ベースフレーム
５０３  ＣＩＳユニット駆動機構（駆動手段）
７０４  画像処理部（画像合成手段）
７１１  ＣＰＵ（指示手段、決定手段）
７１３  指示ボタン（指示手段）
７１４  ＲＡＭ（記憶手段）
９０６、９０７  後方増設ＣＩＳ（追加イメージセンサ）
Ｓ  原稿
ｔ１、ｔ２  遅延時間
【先行技術文献】
【特許文献】
【０１２６】
【特許文献１】特開平１１−０２７４７７号公報
【図１】
0006551006.tif 000002
【図２】
0006551006.tif 000003
【図３】
0006551006.tif 000004
【図４】
0006551006.tif 000005
【図５】
0006551006.tif 000006
【図６】
0006551006.tif 000007
【図７】
0006551006.tif 000008
【図８】
0006551006.tif 000009
【図９】
0006551006.tif 000010
【図１０】
0006551006.tif 000011
【図１１】
0006551006.tif 000012
【図１２】
0006551006.tif 000013